(57)【要約】【課題】着用者の足首を安定的に保護および支持できるようにした足首保護機能付きの靴を提供すること。【解決手段】下面にスパイク２１ａが形成された本底２１と、内皮２２ａおよび外皮２２を含むアッパーとを縫い合わせて履き口２３を形成した靴２５において、両足首のそれぞれ内側に位置するアッパーの外側面に形成されたポケット３と、前記ポケット３に挿入されて足首を支持する補強片５と、前記補強片５を圧着して外部への離脱を防ぐ固定バンド１５と、から構成された足首保護機能付きの靴。【選択図】      図１
2004148123.tif 000002
【特許請求の範囲】
【請求項１】
下面にスパイクが形成された本底と、内皮および外皮を含むアッパーとを縫い合わせて履き口を形成した靴において、
両足首のそれぞれ内側に位置するアッパーの外側面に形成されたポケットと、
前記ポケットに挿入されて足首を支持する補強片と、
前記補強片を圧着して外部への離脱を防ぐ固定バンドと、から構成されたことを特徴とする足首保護機能付きの靴。
【請求項２】
前記内皮と外皮との間には、かかとを包む支持片がさらに設けられたことを特徴とする請求項１に記載の足首保護機能付きの靴。
【請求項３】
前記補強片は、切取部を中心に分けられた下部に形成された挿入部と、着用者のくるぶしを包むように上部に形成された外挿部とが一体に成型されてなることを特徴とする請求項１又は２に記載の足首保護機能付きの靴。
【請求項４】
前記ポケットに挿入された補強片を包むキャップがさらに設けられ、該キャップは、前記補強片の上部が挿入される挿入部と、該挿入部の内側面に設けられた軟質のスポンジパッドとを含み、前記補強片と共に前記固定バンドによって圧着されることを特徴とする請求項１、２又は３記載の足首保護機能付きの靴。
【請求項５】
前記キャップの挿入部の外側面と前記固定バンドの内側面とにそれぞれファスナテープが付着され、これらファスナテープ同士が接着することによって前記キャップが抜け止めされていることを特徴とする請求項４に記載の足首保護機能付きの靴。
【請求項６】
前記靴は靴紐で履き口を結束する靴であり、前記固定バンドは、一端部がアッパーに縫い合わせられ、他端部にリングが設けられてなり、該リングが前記靴紐で結束されることによって固定されることを特徴とする請求項１〜５のいずれかに記載の足首保護機能付きの靴。
【発明の詳細な説明】
【技術分野】
【０００１】
本発明は、着用者の足首を安定的に支持できる足首保護機能が加えられた靴に関し、さらに詳細には、両足首のそれぞれ内側に位置するアッパーの外側面に形成されたポケットに分離可能に挿入される補強片を設けることによって着用者の足首を安定的に保護および支持できるようにした足首保護機能付きの靴に関する。
【背景技術】
【０００２】
現在、一般の産業現場で履く作業靴、運動時に履く運動靴、軍靴、登山靴など、それぞれの用途に合う様々な機能を持つ各種の靴が販売されている。
【０００３】
しかし、無理な力が加えられる場合に足首がねじれて負傷するか、正しい姿勢を保てないという欠点を解消できる機能を有する靴は今だ提案されていないのが現状である。
【発明の開示】
【発明が解決しようとする課題】
【０００４】
したがって、本発明は、上記の問題点に鑑みてなされたものであり、作業や運動時に発生する足首のねじれを防止するとともに、正しい姿勢を保てるようにした足首保護機能付きの靴を提供することを課題とする。
【０００５】
本発明の他の課題は、外部に露出される補強片が着用者のくるぶしと直接触れないようにし、自由な動きを可能にした足首保護機能付きの靴を提供することにある。
【０００６】
本発明の他の課題は、以下の記載により明らかとなる。
【課題を解決するための手段】
【０００７】
上記課題は、以下の各発明によって解決される。
【０００８】
請求項１記載の発明は、下面にスパイクが形成された本底と、内皮および外皮を含むアッパーとを縫い合わせて履き口を形成した靴において、両足首のそれぞれ内側に位置するアッパーの外側面に形成されたポケットと、前記ポケットに挿入されて足首を支持する補強片と、前記補強片を圧着して外部への離脱を防ぐ固定バンドと、から構成されたことを特徴とする足首保護機能付きの靴である。
【０００９】
請求項２記載の発明は、前記内皮と外皮との間には、かかとを包む支持片がさらに設けられたことを特徴とする請求項１に記載の足首保護機能付きの靴である。
【００１０】
請求項３記載の発明は、前記補強片は、切取部を中心に分けられた下部に形成された挿入部と、着用者のくるぶしを包むように上部に形成された外挿部とが一体に成型されてなることを特徴とする請求項１又は２に記載の足首保護機能付きの靴である。
【００１１】
請求項４記載の発明は、前記ポケットに挿入された補強片を包むキャップがさらに設けられ、該キャップは、前記補強片の上部が挿入される挿入部と、該挿入部の内側面に設けられた軟質のスポンジパッドとを含み、前記補強片と共に前記固定バンドによって圧着されることを特徴とする請求項１、２又は３記載の足首保護機能付きの靴である。
【００１２】
請求項５記載の発明は、前記キャップの挿入部の外側面と前記固定バンドの内側面とにそれぞれファスナテープが付着され、これらファスナテープ同士が接着することによって前記キャップが抜け止めされていることを特徴とする請求項４に記載の足首保護機能付きの靴である。
【００１３】
請求項６記載の発明は、前記靴は靴紐で履き口を結束する靴であり、前記固定バンドは、一端部がアッパーに縫い合わせられ、他端部にリングが設けられてなり、該リングが前記靴紐で結束されることによって固定されることを特徴とする請求項１〜５のいずれかに記載の足首保護機能付きの靴である。
【発明の効果】
【００１４】
本発明によれば、靴に足首を保護する補強片を設けているため、着用者の足首のねじれを防止し、負傷などを恐れずに運動や作業を自由に行うことができる。
【００１５】
また、本発明によれば、補強片に軟質のスポンジパッドを含むキャップを設けたことにより、外部に露出される補強片が着用者のくるぶしと直接触れることがなく、自由な動きを可能にした足首保護機能付きの靴を提供することができる。
【発明を実施するための最良の形態】
【００１６】
図１は、本発明の構成状態を示す部分分解斜視図であり、図２は、ポケットに補強片を結合させた状態の斜視図であり、図３は、ポケットの外側に固定バンドを接合させた状態の斜視図であり、図４は、本発明の構成要素の一つである支持片の構成状態を示す斜視図であり、図５は、本発明の構成要素の一つである補強片の構成状態を示す斜視図である。
【００１７】
図示の如く、本発明の靴２５は、下面にスパイク２１ａが形成された本底２１と、内皮２２ａおよび外皮２２を含むアッパーとを縫い合わせて履き口２３を形成した通常の靴２５に、足首を保護できる機能を有する補強片５を設けてなり、好ましくは、かかとを保護できる機能を有する支持片１を更に設けてなる。
【００１８】
前記支持片１は、内皮２２ａと外皮２２との間に挟まれ、高強度の合成樹脂で成型されて足のかかとの外側面を包む。
【００１９】
そして、着用者の足首のねじれを予防する足首保護部材は、着用者の両足首のそれぞれ内側に位置する靴２５のアッパーの外側面に一体に形成されたポケット３と、前記ポケット３に挿入される補強片５とを有して構成され、好ましくは、ポケット３から露出される補強片５を包むキャップ１０を更に有して構成される。また、好ましくは、ポケット３に挿入された補強片５が外部に離脱されないように圧着する固定バンド１５を更に有して構成される。
【００２０】
前記ポケット３は、着用者の両足首のそれぞれ内側に位置する靴２５のアッパーの外側面に一体に形成されるものであって、中央に隔板３ａを設けてその内部空間を２つに分け、上部には後述する補強片５を挿入するための開口部３ｂが形成される。
【００２１】
また、前記ポケット３に挿入される補強片５は、切取部５ａを中心に下部に向けて幅の狭まる２つの挿入部５ｂと、着用者のくるぶしを包むように上部に形成された外挿部５ｃとが一体に成型されてなる。
【００２２】
前記支持片１と補強片５は、同材質の合成樹脂から成型され、具体的にはポリエステル８０〜９０重量％、ガラス繊維１０〜２０重量％を混合してなる樹脂を成型したものである。
【００２３】
そして、前記ポケット３に挿入された状態の補強片５の該ポケット３から露出している上部を包むキャップ１０は、前記補強片５の上部に挿入される挿入部６の外側面に、後述する固定バンド１５に付着されたファスナテープ１１と互いに接着するファスナテープ７が付けられ、着用者のくるぶしと当たる内側面には軟質のスポンジパッド８が設けられる。
【００２４】
前記スポンジパッド８は、硬質の補強片５が着用者のくるぶしと直接触れるのを予防し、自由な動きを可能にする。
【００２５】
そして、ポケット３に挿入された補強片５が外部に離脱しないように堅固に固定する固定バンド１５は、内側面にファスナテープ１１が付着され、その一端部が靴２５のアッパーに縫い合わせられ、他端部にリング１３が取り付けられている。したがって、固定バンド１５は他端部側が自由端とされるため、補強片５のポケット３への挿入作業およびキャップ１０の挿入作業が容易となる。また、補強片５及びキャップ１０を不要とする際にも、それらを被っている固定バンド１５の他端部側を持って被いを解けば、それらの取り外し作業が容易となる。
【００２６】
前記固定バンド１５の内側面に付着されるファスナテープ１１は、前記キャップ１０の外側面に付けられたファスナテープ７と接着され、リング１３には靴紐２４が結束される。
【００２７】
このように構成される靴２５は、内皮２２ａと外皮２２との間に挟まれた支持片１が着用者のかかとを堅固に支持する。
【００２８】
また、足首保護部材を構成するポケット３には、外側にキャップ１０が被せられた補強片５が挿入固定され、補強片５が挿入されたポケット３の外側は固定バンド１５で被われた後、固定バンド１５はリング１３が靴紐２４で結束されることによって固定され、補強片５が外部に離脱するのを防止する。このとき、ファスナテープ７と１１とが互いに接着することで、キャップ１０及び補強片５の外部への離脱をより強固に防止する。
【００２９】
したがって、補強片５が設けられた靴２５は、着用者の足を安全に保護するとともに、足首のねじれを根源的に防ぐことができる。
【図面の簡単な説明】
【００３０】
【図１】本発明の全体構成状態を示す部分分解斜視図
【図２】ポケットに補強片を結合させた状態の斜視図
【図３】ポケットの外側に固定バンドを接着させた状態の斜視図
【図４】支持片の構成状態を例示した斜視図
【図５】補強片の構成状態を例示した斜視図
【符号の説明】
【００３１】
１：支持片
３：ポケット
５：補強片
１０：キャップ
１１：ファスナテープ
１５：固定バンド
２５：靴
【図１】
2004148123.tif 000003
【図２】
2004148123.tif 000004
【図３】
2004148123.tif 000005
【図４】
2004148123.tif 000006
【図５】
2004148123.tif 000007